(57)【特許請求の範囲】
【請求項１】
熱線より発生した熱を、加熱対象物質に伝達するための加熱ユニットであって、
円筒形状の本体と、前記本体の内部に形成されるもので、垂直方向に等間隔に複数個配置されるとともに、加熱対象物質が流動するための流動穴が形成される垂直パーテーションと、水平方向に設置されるとともに、流動穴が形成される第１水平パーテーションと、前記第１水平パーテーションの下面に、前記第１水平パーテーションと類似な形状に、流動穴が形成される第２水平パーテーションとを有する熱伝逹部と、
前記本体の両側に設けられ、加熱対象物質が導き込まれる円筒形状の導入部、および前記導入部の反対側に設けられ加熱対象物質が排出される円筒形状の排出部と、
を備える、パーテーション構造型のヒーティング装置。
【請求項２】
前記導入部は、加熱対象物質が取り込まれる円筒形状の導入穴と、前記導入穴の周囲に、熱伝逹を遮断するための同心の円筒形状を持つ断熱部とが形成されてなり、
前記排出部は、加熱対象物質が排出される円筒形状の排出穴と、前記排出穴の周囲に、熱伝逹を遮断するための同心の円筒形状を持つ断熱部とが形成されてなる、請求項１に記載のパーテーション構造型のヒーティング装置。
【請求項３】
両側に前記導入部と排出部の一部が外部に突出するようにして前記加熱ユニットを収容する中空型の本体と、前記本体の厚さ部に設置される冷却水チューブと、前記本体と前記加熱ユニットとの空間に設置されて熱伝逹を遮断する断熱材と、を有する収容部と、
前記加熱ユニットに接触して温度を制御する制御部と、
前記本体に接続され、熱線に電源を供給するための電力供給部と、
をさらに含む、請求項１または請求項２に記載のパーテーション構造型のヒーティング装置。
【請求項４】
前記加熱対象物質は、化学気相蒸着工程に使われる反応ガスである、請求項１から請求項３のいずれか１つに記載のパーテーション構造型のヒーティング装置。
【請求項５】
前記収容部の本体は、円筒形状を有する、請求項３に記載のパーテーション構造型のヒーティング装置。
【請求項６】
前記収容部の本体は、四角形断面を有する、請求項３に記載のパーテーション構造型のヒーティング装置。
【請求項７】
前記加熱ユニットの前記円筒形状の本体、前記垂直パーテーション及び前記第１水平パーテーションおよび前記第２水平パーテーションの材質は、石英である、請求項１から請求項６のいずれか１つに記載のパーテーション構造型のヒーティング装置。
【発明の詳細な説明】
【技術分野】
【０００１】
本発明は、加熱対象物質を加熱するための装置に係り、特に、加熱対象物質として化学気相蒸着工程に使われる反応ガスを、内部に流動穴が形成されているパーテーションを通して流動させ、その流動中に、熱線より発生した熱を伝達して加熱することによって、蒸着の効率を向上させることができるパーテーション構造型のヒーティング装置に関する。
【背景技術】
【０００２】
一般に、化学気相蒸着工程において反応ガスをあらかじめ加熱する装置として、図１に示すような構成が提案されてきている。すなわち、反応ガスが流れうる石英チューブ３０と、石英チューブ３０の外側に設けられるラインヒーター５０と、石英チューブ３０内に設けられるセラミックボール４０等を備える。
【０００３】
ここで、ラインヒーター５０によって熱が供給されるセラミックボール４０が、反応ガスに熱を供給して加熱する役割を果たす。
【発明の開示】
【発明が解決しようとする課題】
【０００４】
しかしながら、上記のような従来の加熱装置は、体積が嵩むために石英チューブ３０の長さを延長し難く、また、石英チューブ３０内に設けられるセラミックボール４０を多く配置するのが難しいので、充分な加熱を行うことが難しいという問題点があった。
【０００５】
本発明は上記の問題点を解決するためのもので、その目的は、加熱対象物質として化学気相蒸着工程に使われる反応ガスを、内部に流動穴が形成されているパーテーションを通して流動させ、その流動中に、熱線より発生する熱を伝達して加熱させることによって蒸着の効率を向上させることができるパーテーション構造型のヒーティング装置を提供することにある。
【課題を解決するための手段】
【０００６】
上記の目的は、円筒形状の本体、前記本体の内部に形成されるもので、垂直方向に等間隔に複数個配置されるとともに、加熱対象物質が流動するための流動穴が形成される垂直パーテーション、及び水平方向に設置されるとともに、流動穴が形成される水平パーテーションを有する熱伝逹部と、前記本体の両側に設けられ、加熱対象物質を導き込む円筒形状の導入部と、前記導入部の反対側に設けられ、加熱対象物質が排出される円筒形状の排出部と、を備えることを特徴とするパーテーション構造型のヒーティング装置によって達成されることができる。
【発明の効果】
【０００７】
本発明は、加熱対象物質、すなわち、化学気相蒸着工程に使われる反応ガスをあらかじめ加熱することを目的とするもので、当該反応ガスを、パーテーションによって形成される流動通路に沿って流動させ、その流動中に、熱線より発生した熱を伝達させて加熱する構成にしたので、小さいサイズの加熱装置によっても、要求される加熱性能を確保することができるという効果を奏する。
【発明を実施するための最良の形態】
【０００８】
以下、添付の図面を参照しつつ、本発明の好適な実施例ついて詳細に説明する。
【０００９】
本発明は、加熱対象物質、すなわち、化学気相蒸着工程に使われる反応ガスをあらかじめ加熱することを目的とするもので、上述の如く、反応ガスをパーテーションに通過させながら流動するようにし、その流動中に、前記熱線より発生した熱が伝達されるようにする。
【００１０】
本発明は、熱を発生させて反応ガスに伝達する加熱ユニット１００と、加熱ユニット１００を収容する収容部２００と、加熱ユニット１００の温度を制御する制御部３００と、加熱ユニット１００に電力を供給する電力供給部４００と、を備える。
【００１１】
収容部２００は、内部が空いている中空形状の本体２１０からなり、内部には、後述する加熱ユニット１００が配置される。収容部２００と加熱ユニット１００との間には、熱伝逹を遮断するための断熱材２３０が配置され、発生した熱が外部に漏れるのを防止する。また、収容部２００の本体２１０は、厚さ部分に冷却水の流動のための冷却水チューブ２２０が設置され、収容部２００が過熱されるのを防止する。そして、本体２１０の一側には、加熱ユニット１００の温度を制御するための制御部３００と、電力供給のための電力供給部４００が配置される。
【００１２】
一方、収容部２００の本体は、図２及び図３に示すように円筒形状にしても良く、図４及び図５に示すように四角形断面を有する形状にしても良い。
【００１３】
以下、図６及び図７を参照して加熱ユニット１００を説明する。図を参照すれば、加熱ユニット１００は、まず、電力を受けて熱を発生させる熱線１１０と、熱線１１０より発生した熱を反応ガスに伝達する熱伝逹部１２０と、該反応ガスを導入／排出する導入部１３０／排出部１４０と、を備える。
【００１４】
熱伝逹部１２０は、円筒形状の本体１２１と、本体１２１の内部に等間隔に配置されるもので、垂直方向に設置される垂直パーテーション１２２及び水平方向に設置される水平パーテーション１２３と、を備える。垂直パーテーション１２２は、円板形状を有し、当該反応ガスが流れうるように流動穴１２２ａが形成されている。同様に、水平方向に設置される水平パーテーション１２３にも、流動穴１２３ａが形成されている。上記の各パーテーションと流動穴によって、反応ガスが当該流動穴を通過しながら熱線１１０より発生した熱を受けることになる。
【００１５】
一方、図８に示すように、水平パーテーション１２３に加えて、水平パーテーション１２３−１をさらに設置しても良い。すなわち、水平パーテーションをさらに設置すると、流動時間が増加し、加熱効果をより向上させることが可能になる。
【００１６】
一方、本体１２１の両側には、反応ガスが導き込まれる導入部１３０と、反応ガスが排出される排出部１４０が形成される。
【００１７】
導入部１３０は、反応ガスが導き込まれる円筒形状の導入穴１３１と、導入穴１３１の周囲に、導入穴１３１と同心を有する円筒形状の断熱部１３２が形成されてなる。このような構成は排出部１４０にも同様に適用されるもので、排出部１４０は、反応ガスが排出する排出穴１４１と、該排出穴１４１の周囲に形成される断熱部１４２が形成されてなる。
【００１８】
以上の構成によって、反応ガスは、導入穴１３１に導き込まれ、垂直パーテーション１２２に形成される流動穴１２２ａを通過した後、水平パーテーション１２３の流動穴１２３ａを通過したのち排出部１４０に流動する。
【００１９】
一方、本体１２１と各パーテーション１２２，１２３の材質は、耐熱性と化学的安全性に優れた石英とすることが好ましい。
【００２０】
以上に説明した構成によって、高い加熱性能を示しながらも小さいサイズを持つ加熱装置を構成することができる。
【図面の簡単な説明】
【００２１】
【図１】従来の加熱装置を示す概念図である。
【図２−５】本発明による加熱装置を示す概念図である。
【図６−３ｄ】本発明の一実施例による熱伝逹部を示す断面図及び斜視図である。
【図８−９】本発明の他の実施例による熱伝逹部を示す断面図及び斜視図である。
【符号の説明】
【００２２】
１００    加熱ユニット
１１０    熱線
【図１】
0004943444.tif 000002
【図２】
0004943444.tif 000003
【図３】
0004943444.tif 000004
【図４】
0004943444.tif 000005
【図５】
0004943444.tif 000006
【図６】
0004943444.tif 000007
【図７】
0004943444.tif 000008
【図８】
0004943444.tif 000009
【図９】
0004943444.tif 000010